(57)【要約】      （修正有）【課題】キャリアプレートと、クイック取付キャリアとからなるセットを提供する。【解決手段】クイック取付キャリア11はキャリアプレート12上に特定の電子部品を取り付けるために形成されかつ用いられる。キャリアプレート12は、所定の格子状に配置された複数の平行な長穴13、14を有する。第１の長穴13と第２の長穴14とを有する一対の長穴が、両方の長穴13、14の長手延長に対して直交する向きに所定のパターンピッチに配置される。長穴13、14は、直線状で相互に平行な長手エッジ(15-18)を有する。クイック取付キャリア11上に、格子状のパターンピッチに合わせた間隔に離間配置された第１の締結要素19及び第２の締結要素20を有する。第１の締結要素19は、第１の長穴13に係止するように形成され、第２の締結要素20は、第２の長穴14に係止するように形成される。【選択図】図２ａ
2019086750.tif 000002
【特許請求の範囲】
【請求項１】
キャリアプレート(12)と、少なくとも１つのクイック取付キャリア(11)とからなるセットであって、
側方の脚またはフレーム部材(23,24)により前記キャリアプレート(12)の下方にケーブル配線用または配電部品収納用の自由空間(35)が形成され、前記クイック取付キャリア(11)は前記キャリアプレート(12)上に特定の電子部品を取り付けるために形成されかつ用いられ、
前記キャリアプレート(12)は、所定の格子状に配置された複数の平行な長穴（13,14）を有し、第１の長穴（13）と第２の長穴（14）とを有する一対の長穴が両方の長穴（13,14）の長手延長に対して直交する向きに所定のパターンピッチ（A）に配置され、
前記長穴(13,14)は直線状で相互に平行な長手エッジ(15-18)を有し、前記クイック取付キャリア(11)は該クイック取付キャリア(11)上に格子状の前記パターンピッチ(A)に合わせた間隔に離間配置された第１の締結要素(19)および第２の締結要素(20)を有し、
前記第１の締結要素(19)は前記第1の長穴(13)に係止するように形成され、前記第2の締結要素(20)は前記第２の長穴(14)に係止するように形成されることを特徴とするキャリアプレートとクイック取付キャリアとのセット。
【請求項２】
前記クイック取付キャリア(11)の係止は、前記第１の締結要素（19）および前記第２の締結要素(20)を介して、それぞれ互いに向かい合う前記第１の長穴(13)と前記第２の長穴(14)の前記長手エッジ(15,17)と行われることを特徴とする請求項１に記載のセット。
【請求項３】
前記クイック取付キャリア(11)の係止は、前記第１の締結要素（19）および前記第２の締結要素(20)を介して、それぞれ互いに向き合わない前記第１の長穴(13)と前記第２の長穴(14)の前記長手エッジ(15,17)と行われることを特徴とする請求項１に記載のセット。
【請求項４】
前記締結要素（19,20）のうちの少なくとも1つ、好ましくは両方の締結要素（19,20）は、所定の弾力を超えたときにのみ割り当てられた前記長穴（13,14）に該締結要素が掛け止め可能となるように、または所定の弾力を超えたときに前記長穴（13,14）から取り外し可能となるように、弾性的に形成されることを特徴とする請求項１乃至３のいずれか１項に記載のセット。
【請求項５】
前記第１の締結要素(19)および／または第２の締結要素(20)は、第１の係止面(21)または第２の係止面(22)をそれぞれ有し、係止位置ではそれぞれの前記長穴(13,14)の割り当てられた前記長手エッジ(15-18)のほうを向いていることを特徴とする請求項１乃至４のいずれか１項に記載のセット。
【請求項６】
前記第１の締結要素（19）および／または第２の締結要素（20）は、保持部（25,26）をそれぞれ有し、前記保持部（25,26）は、前記キャリアプレート（12）の割り当てられた長手エッジ（15-18）を包囲し、かつ前記キャリアプレート（12）の下側（27）に設けられていることを特徴とする請求項１乃至５のいずれか１項に記載のセット。
【請求項７】
前記締結要素(19,20)の少なくとも１つ、好ましくは両方の締結要素(19,20)は、第１の脚(28)および第２の脚(29)を有する実質的にU字形のばねクリップとして形成されることを特徴とする請求項１乃至６のいずれか１項に記載のセット。
【請求項８】
前記脚（28,29）間の距離は、長穴（13,14）の幅に実質的に対応し、好ましくは前記長穴（13,14）の前記長手エッジ（15,16; 17,18）間の距離の０．９〜１．１倍であることを特徴とする請求項７に記載のセット。
【請求項９】
前記クイック取付キャリアは、エフェクタのような特定の電子部品を取り付けるために、前記締結要素（19,20）のほうを向いていない上側（30）に締結媒体（31）を備えていることを特徴とする請求項１乃至８のいずれか１項に記載のセット。
【請求項１０】
前記締結媒体は、自己接着面、特に前記クイック取付キャリア（11）上に貼り付けられた接着パッド（31）を有することを特徴とする請求項９に記載のセット。
【請求項１１】
前記締結媒体（19,20）は、前記長穴（13,14）内での軸方向への案内と同時に側方への移動を促すために、前記長穴（13,14）の長手延長に平行な所定の幅Bを有することを特徴とする請求項１乃至１０のいずれか１項に記載のセット。
【請求項１２】
前記キャリアプレートの前記クイック取付キャリアのほうを向いた上側の面と前記クイック取付キャリアとの間に有効なばね手段が設けられ、前記ばね手段は、前記クイック取付キャリア（11）が前記キャリアプレートの上側の面に直交する向きに遊びなしに保持されるように、前記クイック取付キャリアを所定のバイアスで前記キャリアプレート（12）に保持するために形成されかつ用いられることを特徴とする請求項１乃至１１のいずれか１項に記載のセット。
【請求項１３】
請求項１乃至１２のいずれか一項に記載のセットの構成部品としてのキャリアプレートとの接続用に形成されたクイック取付キャリア。
【請求項１４】
請求項１乃至１２のいずれか一項に記載のキットを使用して、電子部品、特にエフェクタをキャリアプレート上に取り付ける方法であって、
第１の工程では、まず前記電子部品が前記クイック取付キャリア（11）上に好ましくは貼り付けて締結され、
第２の工程では、そのように形成された前記電子部品と前記クイック取付キャリア（11）とからなるユニットが、対応する締結要素（19,20）を介して係止され、前記キャリアプレート（11）の長穴(13, 14)に締結されることを特徴とする取付方法。
【発明の詳細な説明】
【技術分野】
【０００１】
本発明は、請求項１に記載の脚部またはフレーム要素によって自由に床面の上に配置されるキャリアプレートと、少なくとも１つのクイック取付キャリアとからなるセットに関する。
【背景技術】
【０００２】
電子増幅を経て鳴り響く楽器、特にギターまたはベースギターの音響に影響を与える電子部品、特にエフェクタを外れないように締結するためのいわゆるペダルボードとして形成されるキャリアプレートは、長年にわたってよく知られており、絶大な人気がある。このようなエフェクタは、通常、足でオンとオフに切り替えられ、上面に多数の操作要素を保持することができる。ペダルボードとして形成されるキャリアプレートには、通常、ギタリストまたはベーシストのそれぞれの好みに合ったエフェクタが個々別々に取り付けられる。しばしば、エフェクタは、面ファスナ要素を介してキャリアプレート上に取外し可能に固定される。面ファスナ要素の利用は、ほぼ随意に再構成することを可能とし、興奮したステージ状況下であっても、少なくとも原則としてエフェクタがそれぞれ割り当てられた位置に留まることを最終的な目標としている。
【０００３】
しかしながら、面ファスナ要素を取り付けること、または、面ファスナ要素を介してエフェクタをキャリアプレート上に取り付けることはかなり面倒なことである。さらに、エフェクタが意図することなくキャリアプレート上から外れてしまうことが時々あり、音楽演奏中において望ましくない障害につながるおそれがある。
【発明の概要】
【０００４】
本発明の目的は、ペダルボードとして形成されるキャリアプレート上へのエフェクタの入れ替え取り付けオプションを提案することにある。さらに、提案されるエフェクタとして特に形成することができる電子部品をキャリアプレート上に固定するために対応する方法が提案される。この目的は、請求項１に記載の特徴を有するセットと、請求項１４に記載の特徴を有する方法とによって達成される。有利なさらなる展開は従属請求項に記載している。
【課題を解決するための手段】
【０００５】
本発明の中心思想によれば、キャリアプレートと少なくとも1つのクイック取付キャリアとからなるセットであって、側方の脚またはフレーム要素によって前記キャリアプレートの下方にケーブル配線用または配電部品収納用の自由空間が形成され、前記クイック取付キャリアは前記キャリアプレート上に特定の電子部品を取り付けるために形成されかつ用いられ、前記キャリアプレートは所定の格子状に配置された複数の平行な長穴を有し、第１の長穴と第２の長穴とを有する一対の長穴が両方の長穴の長手延長に対して直交する向きに所定のパターンピッチＡに配置され、前記長穴は直線状で相互に平行な長手エッジを有し、前記クイック取付キャリアは該クイック取付キャリア上に格子状の前記パターンピッチＡに合わせた間隔に離間配置された第１の固定要素および第２の固定要素を有し、前記第1の固定要素は前記第1の長穴に係止するように形成され、前記第２の固定要素は前記第２の長穴に係止するように形成される、セットが提供される。
【０００６】
ここに記載されるキャリアプレートは、しばしばペダルボードとも呼ばれる。この点では、ペダルボードとして形成されるキャリアプレートとも言える。クイック取付キャリアは、特定の電子部品を取り付け固定するために形成されかつ用いられる。ここに記載される電子部品とは、いわゆるエフェクタである。エフェクタは、電子増幅を経て鳴り響く楽器の音響に影響を与えるように形成されかつ用いられるものである。
【０００７】
キャリアプレート上には、所定パターンに配置された複数の平行な長穴が設けられている。長穴は、それらの幅の倍数に対応する長手方向の延長部を有し、好ましくはそれらの幅の少なくとも２倍、より好ましくは少なくとも３倍の長さを有することを特徴とする。長穴は、一方では互いに平行に延びる長手エッジによって、他方では２つの互いに向き合う長手エッジにつながるサイドエッジによって、境界が定められている。サイドエッジは、必要に応じて、直線状であってもよく、特に長手エッジに対して直交する向きに延びて形成されてもよく、また凹状または凸状の輪郭を形成するものであってもよい。好ましくは、キャリアプレートは、共通の軸Ｌ上にある複数の長穴を含み、好ましくは互いに離間して軸上に配置された複数列の長穴が設けられる。
【０００８】
好ましくは、所定のパターンピッチＡに配置された長穴を有するキャリアプレートに適合されたクイック取付キャリアは、互いに離間して配置され、それぞれに対応して離間配置された長穴とそれぞれ係止しうるように形成された２つの締結要素を有する。これにより、クイック取付キャリアをキャリアプレート上のそれぞれの所望の位置に迅速に固定するか、またはキャリアプレートから迅速に取り外すことができる。
【０００９】
クイック取付キャリアの係止は、第１の締結要素および第２の締結要素を介して、互いに向き合う第１の長穴と第２の長穴との長手エッジをそれぞれ用いて行うことができる。しかし、クイック取付キャリアの係止は、第１の締結要素および第２の締結要素を介して、互いに向き合っていない第１の長穴と第２の長穴との長手エッジをそれぞれ用いて行うことも可能である。さらに、第１の長穴および／または第２の長穴の２つの対向する長手エッジを用いてクイック取付キャリアの係止を行うことも可能である。
【００１０】
好ましい更なる実施形態では、締結要素のうちの少なくとも１つ、好ましくは両方の締結要素は、所定の弾力（ばね力）に打ち勝つときにのみ割り当てられた長穴に掛け止めできるようにするか、または所定の弾力（ばね力）に打ち勝つときにのみ長穴から取り外し可能となるように、弾性を有して形成される。その結果、ロック手段を追加することなく、特に簡単な取り付けオプションが作製される。
【００１１】
可能な実施形態では、第１および／または第２の締結要素は、それぞれ第１または第２の係止面を有する。第１または第２の係止面は、係止された位置において、それぞれの長穴の割り当てられた長手エッジのほうを向いている。これに代えてまたはこれに加えて、第１の締結要素および／または第２の締結要素は、いずれの場合にも、キャリアプレートの割り当てられた長手エッジを取り囲むか、またはキャリアプレートの下面に当接して設けられる保持部を備えることができる。
【００１２】
特定の好ましい実施形態では、締結要素の少なくとも１つ、好ましくは両方の締結要素が、第１の脚および第２の脚を備えた実質的にＵ字形のばねクリップとして形成される。この実施形態では、Ｕ字形状のばねクリップの脚部間の距離は、実質的に長穴の幅に対応し、好ましくは各長穴の長手エッジ間の距離の１．０〜１．１倍である。したがって、脚同士を互いにわずかに圧縮しない限り、各脚をそれぞれの長穴のなかに挿入できないように設けてもよい。
【００１３】
より好ましい実施形態では、クイック取付キャリアは、その上にエフェクタのような特定の電子部品を取り付けるための締結媒体を用いて締結要素から離れるほうの上側に設けるようにしてもよい。さらに好ましい実施形態では、これらの締結媒体は、自己接着性の表面として形成してもよく、特にクイック取付キャリアの上に貼り付けられた接着パッドを含むことができる。接着パッドは、例えば、クイック取付キャリアの上に、封止フィルムを用いて耐久性を持たせて貼り付けることができる。ユーザーがエフェクタをクイック取付キャリア上に取り付ける場合は、ユーザーは封止フィルムを剥がし、クイック取付キャリアに耐久性を持たせて取り付けられた接着パッドにエフェクタを一時的に押し付けるだけでよく、それによりクイック取付キャリアとの接着性の接続をもたらすことができる。
【００１４】
好ましくは、締結媒体は、１つ又は複数の長穴内への軸方向案内と同時に横方向への位置ずれ移動が可能となるように、長穴の長手方向の延長に平行な所定の幅Ｂを有する。締結媒体が特定の弾力で、長穴の一方の長手エッジとともに、または長穴の両方の長手エッジとともに協働して作用する場合に、所定の保持力を超えたときにのみ移動することが可能である。これにより、一方では、その位置にその上に取り付けられたままの状態でエフェクタとともにクイック取付キャリアを調整することが可能となり、他方では、望ましくない位置ずれが起こらないことを確実にする。
【００１５】
最終的には、クイック取付キャリアは、独立請求項にも記載された本発明のセットの構成部品としてキャリアプレートとの接続のために形成され、かつ用いられる。このようなクイック取付キャリアは、ユーザーからの補足要件を満たすようにするために、個別に要求することもできる。
【００１６】
本発明は、例示的な実施形態の説明を参照し、添付の図面を参照して、さらなる特徴および利点に関して以下に説明される。ここに示す。
【図面の簡単な説明】
【００１７】
【図１】図１は、可能な実施形態のクイック取付キャリアでそれぞれ締結された２つのエフェクタを有するキャリアプレートを示す斜視図である。
【図２ａ】図２ａは、キャリアプレート上のクイック取付キャリアを介してエフェクタを締結するプロセスを示す分解斜視図である。
【図２ｂ】図２ｂは、キャリアプレート上のクイック取付キャリアを介してエフェクタを締結するプロセスを示す分解斜視図である。
【図３ａ】図３ａは、実施形態のクイック取付キャリアおよび接着パッドを上側から見て示す分解斜視図である。
【図３ｂ】図３ｂは、実施形態のクイック取付キャリアおよび接着パッドを下側から見て示す分解斜視図である。
【図４】図４は、クイック取付キャリアを介してエフェクタに締結された実施形態のキャリアプレートを下側から見て示す斜視図である。
【図５ａ】図５ａは、隣り合うエフェクタ間の距離を容易に調整するためのキャリアプレート上のクイック取付キャリアの長手方向の移動を説明するための斜視図である。
【図５ｂ】図５ｂは、隣り合うエフェクタ間の距離を容易に調整するためのキャリアプレート上のクイック取付キャリアの長手方向の移動を説明するための斜視図である。
【発明を実施するための形態】
【００１８】
図１に、可能な実施形態のクイック取付キャリア１１でそれぞれ締結された２つのエフェクタ３６，３７を有するキャリアプレート１２を示す。キャリアプレート１２は、特定パターンに配列された複数の長穴１３，１４を有している。  図１に示された実施形態では、具体的に各々が共通の軸上にある３列の長穴が設けられている。具体的な実施形態では、最外側の２つの列はそれぞれ６つの長穴を有し、中間の列は５つの長穴を有している。外側の列の長穴は、互いに向き合って配置されている。言うまでもなく、ここに図示された長穴のパターンの任意の変更が可能であり、特に２列だけの長穴をもつキャリアプレート、または４列、５列、６列、７列またはそれ以上の数の列の長穴をもつキャリアプレートを形成することが可能である。また、パターンＡの１列内の長穴の数についても、キャリアプレート１２の幅に応じて、特定の限度内で自由に選択することが可能である。
【００１９】
キャリアプレート１２は、ケーブル配線用および／または配電部品収納用および／またはここに提案される締結方案のための十分なスペースを提供するために、キャリアプレート１２の下側に自由空間としてのクリアランス３５を備えている。キャリアプレート１２は、サイドフレーム要素２３，２４を有する。フレーム要素は、キャリアプレートの２つの側部だけでなく、キャリアプレートの３つまたは４つの側部にも設けることができる。あるいは、キャリアプレート１２は、上述の自由空間３５を確保するために、脚部を有して形成されてもよい。本実施形態の長穴は、すべて同一の幾何学的輪郭を有し、２つの対向する長手エッジ１５，１６と１７，１８とを含み、それらの間に配置されたサイドエッジ３３，３４を含んでいる。ここに示された実施形態の長穴は、角を丸くした長方形である。この点で、それらはそれぞれ互いに対向する２つの互いに平行な長手エッジ１５，１６と１７，１８を有し、それらの間にサイドエッジ３３，３４が配置されている。ここに示す実施形態では、長手エッジは、サイドエッジ３３，３４の長さの約４倍の長さである。
【００２０】
長穴の外側の列の互いに向き合う長穴１３，１４は、エフェクタ３６，３７に取り付けられたそれぞれのクイック取付キャリア１１を介してエフェクタ３６，３７を所望の位置に取り外し可能に締結することを可能にする。
【００２１】
図２ａと図２ｂに、それぞれ割り当てられたクイック取付キャリア１１を介してエフェクタ３６，３７を締結するプロセスをより詳細に示す。まず、エフェクタ３６は、接着パッドとして形成される締結媒体３１を介してクイック取付キャリア１１のベースプレート３８上に締結される。ベースプレート３８の接着パッド３１のほうを向いていない側には、第１の締結要素１９および第２の締結要素２０がクイック取付キャリア１１上にそれぞれ配置されている。第１の締結要素１９と第２の締結要素２０は、本実施形態では実質的にＵ字形に屈曲した金属バンドとして形成され、それぞれ第１の脚２８および第２の脚２９を有するばねクリップを形成する。脚２８，２９の一方または両方の外側に、ここでは、ばねクリップのそれぞれ互いに向き合う締結要素のほうを向いていない側に締結突起３９が形成されている。
【００２２】
締結突起３９は、長穴１３，１４のそれぞれ割り当てられた長手エッジ１５，１６と１７，１８との係止に用いられる。ここで、締結突起３９の各々によって形成され、キャリアプレートの下側にあり、割り当てられた長手エッジ１５，１６と１７，１８を包囲する保持部２５，２６を有する。第１の締結要素１９および／または第２の締結要素２０の脚２８，２９を有するばねクリップは、割り当てられた長穴１３，１４の幅よりも僅かに大きい幅を有することができる。その結果、ばねクリップとして形成される締結要素１９，２０は、付随する第１の係止面２１あるいは割り当てられた第２の係止面２２とともに長手エッジ１５，１６と１７，１８に対して一定のばねバイアスを付与する。これによって、それぞれ上に配置されたエフェクタ３６，３７を有するクイック取付キャリアが、長穴の長手方向の延長線を横切る方向において、遊びなしで保持される。
【００２３】
図２ａと図２ｂに、すでに述べたように、エフェクタ３６，３７をキャリアプレート１２に締結するプロセスを示す。まず、エフェクタ３６，３７をクイック取付キャリア１１上に締結する。好ましくは、この締結は、第１の締結要素１９および第２の締結要素２０のほうを向いていない側に既に配置されている接着パッド３１を介して行われる。接着パッド３１は、封止フィルムでシールすることができる。この封止フィルムは、後にエフェクタ３６，３７をクイック取付キャリア１１上に締結するために用いられ、エフェクタ３６，３７を締結する前は取り除かれている（図２ａ）。
【００２４】
次に、エフェクタ３６，３７およびクイック取付キャリア１１からなるユニットを、本実施形態ではばねクリップとしてそれぞれ形成される第１の締結要素１９と第２の締結要素２０を介して、それぞれ望ましい長穴１３，１４においてキャリアプレートに係止する。クイック取付キャリアの下側には、例えばスポンジゴム層のような弾性媒体（図示せず）をさらに配置することもできるので、これらの弾性媒体のわずかな圧縮を伴ってクイック取付キャリアをキャリアプレート１２に係止するようにしてもよい。これに関して、この可能な実施形態では、クイック取付キャリアの係止が所定のバイアス下で行われるため、クイック取付キャリアはキャリアプレート１２の平面に直交する取り付け方向に遊びなしに締結される。
【００２５】
図３ａと図３ｂには、クイック取付キャリア１１および接着パッド３１が２つの異なる視点からそれぞれ分解斜視図で示されている。ベースプレート３８の側部に配置された張り出し部４０は、クイック取付キャリア１１をキャリアプレート１２に締結する際に、特にクイック取付キャリア１１をキャリアプレート１２から取り外す際に、クイック取付キャリア自体を掴むことができるようにし、かつ、取り外しのための力をベースプレート３８上のエフェクタ３６，３７および接着パッド31に伝達する必要がないようにするためのグリップタブとして役立つ。
【００２６】
図４に、キャリアプレート１２の下側２７での第１の締結要素１９または第２の締結要素２０を介する係止を具体的に示すために、クイック取付キャリアを介して締結されたエフェクタを有する実施形態のキャリアプレートを下側から見た状態で示す。ばねクリップとして形成される締結要素１９，２０は、締結突起３９に形成された保持部２５，２６が引き抜きを抑止するように、ばね力に打ち勝って締結突起３９が割り当てられた長穴１３，１４内に導入される。保持部２５，２６は、割り当てられた長手エッジ１５，１６と１７，１８を包囲し、キャリアプレート１２の下側２７に当接することにより、引き抜きに抵抗する。同時に、第１の係止面２１または第２の係止面２２は、長手エッジ１５，１６と１７，１８に当接し、その結果、長穴の長手方向の延長線を横切る横方向の固定が達成される。
【００２７】
しかしながら、図５ａと図５ｂから分かるように、エフェクタ３６，３７の間隔を調整できるようにするために、第１の締結要素１９または第２の締結要素２０を介して長穴１３，１４の長手方向に移動可能にクイック取付キャリアを配置することが好ましい態様として提供することができる。長穴１３，１４のなかでの案内は、第１及び第２の締結要素１９，２０として形成されるばねクリップの幅によって達成される。ばねクリップとして形成される締結要素１９，２０は、所定の弾力で第１の係止面２１と第２の係止面２２が割り当てられた長手エッジ１５，１６，１７，１８に当接するように、好ましくは長穴のなかで僅かに圧縮されている。これにより、規定された所定の摩擦力を超えたときにはじめて、または、ばねクリップが下側から軽く圧縮されたときにはじめて、位置ずれ移動が可能となる。
【００２８】
割り当てられた長穴１３，１４との係止接続をするために、締結要素１９，２０の形成に対して多くの変更が考えられることは言うまでもない。エフェクタの代わりに、例えば音響または光学メトロノーム等、音楽演奏の際にアーティストにとって有用な他の部品を本発明のクイック取付キャリア上に取り付けることもできる。
【符号の説明】
【００２９】
11…クイック取付キャリア、12…キャリアプレート、
13,14…長穴、15,16,17,18…長手エッジ（長穴）、
19…第１の締結要素、20…第２の締結要素、
21…第１の係止面、22…第２の係止面、
23,24…フレーム要素、25,26…保持部、
27…下側、28,29…脚（ばねクリップ）、
30…上側（クイック取付キャリア）、
31…締結媒体（クイック取付キャリア），接着パッド、
33,34…サイドエッジ、35…自由空間（クリアランス）、36,37…エフェクタ、
38…ベースプレート、39…締結突起、40…張り出し部、
L…軸、A…パターンピッチ。
【図１】
2019086750.tif 000003
【図２ａ】
2019086750.tif 000004
【図２ｂ】
2019086750.tif 000005
【図３ａ】
2019086750.tif 000006
【図３ｂ】
2019086750.tif 000007
【図４】
2019086750.tif 000008
【図５ａ】
2019086750.tif 000009
【図５ｂ】
2019086750.tif 000010
【外国語明細書】
2019086750000001.pdf